(57)【要約】【課題】厚さが異なる２種類の角型電池を電池格納部に収納する際に１種類のカバーで、ユーザ操作に頼ることなしに対応可能であり、かつ携行時に衝撃が加わった場合でも角型電池端子との接触不良を生じない電子機器を提供する。【解決手段】厚みが異なる２種類の角型電池が格納される電池格納部と、該電池格納部を覆う蓋とを備え、該電池格納部に格納された角型電池３から電力の供給を受けて動作する電子機器において、電池格納部１０が、厚みが薄い角型電池３を保持する保持位置と該電池格納部１０に厚みが厚い角型電池３の収納を許容する退避位置との間で移動自在な保持部材２６を備え、蓋２１，２２が、保持部材２６を、該保持部材が保持位置にあるときと退避位置にあるときとの何れにおいても係止する係止部２５を備えた。【選択図】図６
2004079346.tif 000002
【特許請求の範囲】
【請求項１】
厚みが異なる２種類の角型電池が格納される電池格納部と、該電池格納部を覆う蓋とを備え、該電池格納部に格納された角型電池から電力の供給を受けて動作する電子機器において、
前記電池格納部が、厚みが薄い角型電池を保持する保持位置と該電池格納部に厚みが厚い角型電池の収納を許容する退避位置との間で移動自在な保持部材を備え、
前記蓋が、前記保持部材を、該保持部材が前記保持位置にあるときと前記退避位置にあるときとの何れにおいても係止する係止部を備えたことを特徴とする電子機器。
【請求項２】
前記保持部材は、前記保持位置と前記退避位置との間で回動自在に軸支され、該保持部材が該保持位置にあるときに前記電池格納部に格納された厚みが薄い角型電池の側縁に係止する係合爪と、該保持位置にあるときと該退避位置にあるときとの双方で前記係止部に回動不能に係止する突起部とを備えたものであることを特徴とする請求項１記載の電子機器。
【請求項３】
前記蓋の内面に、前記電池格納部に格納された角型電池を押圧する弾性部材を備えたことを特徴とする請求項１記載の電子機器。
【発明の詳細な説明】
【０００１】
【発明の属する技術分野】
本発明は、携帯電話、デジタルカメラ、ビデオカメラ、モバイルプリンタなどの角型電池を使用する電子機器に関する。
【０００２】
【従来の技術】
従来、携帯電話、スチルカメラ、デジタルカメラ、ビデオカメラなどの電子機器においては、充電により繰り返し使用が可能な、角型の２次電池が用いられている。この角型の２次電池を電子機器の収納部に収納する方法としては、例えば電極を有する角型電池の側面を収納部の開口に向けて挿入し、カバーでロックする側面挿入式のものや、角型電池の正面から収納部のフレームに収納し、そのフレームをカバーで覆う正面収納式のものがある。また、角型電池を機器内に収納すると機器筐体が大型化するため、電池端子を機器筐体の外面側に配置したものがあり、さらに、電池収納ケースを別にして、角型電池使用時に電池収納ケースを機器筐体に合体させるものもある。
【０００３】
しかしながら、電池収納ケースを機器筐体に合体させるように構成すると角型電池使用時に機器全体が大型化し、持ち運びに不便であり、電池端子を機器筐体の外面側に配置すると、角型電池の不使用時に電池端子が露出して見映えが損なわれる。そこで、電池端子を機器の筐体内外に移動可能に配設し、角型電池使用時には筐体外に移動させて角型電池を接続し、角型電池不使用時には筐体内に格納することにより、容量の異なる角型電池の使用を可能とするとともに、外観上の見映えの向上、筐体の小型化を図ったものがある（特許文献１参照）。
【０００４】
【特許文献１】特開平１１−３６９１号公報（段落番号０００４−００１０）
【０００５】
【発明が解決しようとする課題】
しかしながら、カメラのように持ち運んで使用されるものは、電池を外付けすると、外形全体が大きくなり、手で持つ場合の持ち易さや、持ち運び易さが損なわれるという問題がある。
【０００６】
一方、角型の電池は、厚さが異なる同寸の、２種類の角型電池が市販されており、正面収納式の収納部は、構造上２種類の角型電池の何れにも対応できるという利点がある。
【０００７】
しかしながら、収納される角型電池の厚さに応じて、それに対応したカバーを備え、両方のカバーを持ち歩くのは不便である。
【０００８】
また、カバーを１種類にするために、角型電池の厚さに応じてダミー部品を備え、そのダミー部品を角型電池とカバーとの間に挟む方法や、手操作で動作するロック機構を備え、角型電池の厚さに応じてそのロック機構を切り替え操作する方法も考えられるが、何れの場合もユーザがその都度操作する必要がある。さらに、カバーの内面にクッションになるばね部材を装着し、角型電池の厚さの違いを吸収する方法も考えられるが、ばね部材のみでは、携行時に衝撃が加わったときに、電池端子の接点がずれて接触不良を起こすという問題がある。
【０００９】
本発明は、上記事情に鑑み、厚さが異なる２種類の角型電池を電池格納部に収納する際に１種類のカバーで、ユーザ操作に頼ることなしに対応可能であり、かつ携行時に衝撃が加わった場合でも角型電池端子との接触不良を生じない電子機器を提供することを目的とする。
【００１０】
【課題を解決するための手段】
上記目的を達成する本発明の電子機器は、厚みが異なる２種類の角型電池が格納される電池格納部と、該電池格納部を覆う蓋とを備え、該電池格納部に格納された角型電池から電力の供給を受けて動作する電子機器において、
上記電池格納部が、厚みが薄い角型電池を保持する保持位置と該電池格納部に厚みが厚い角型電池の収納を許容する退避位置との間で移動自在な保持部材を備え、
上記蓋が、上記保持部材を、該保持部材が上記保持位置にあるときと上記退避位置にあるときとの何れにおいても係止する係止部を備えたことを特徴とする。
【００１１】
このように、電池格納部に厚みが薄い角型電池が格納されたときは、電池格納部の保持部材と蓋の係止部とによりその角型電池を保持し、厚みが厚い角型電池が格納されたときは電池格納部の保持部材が退避位置に移動するとともに蓋で押さえるので、１種類の蓋で２種類の角型電池に対応することが可能であり、かつ携行時に衝撃が加わった場合でも電池端子との接触不良が生じない。
【００１２】
ここで、上記保持部材は、上記保持位置と上記退避位置との間で回動自在に軸支され、該保持部材が該保持位置にあるときに上記電池格納部に格納された厚みが薄い角型電池の側縁に係止する係合爪と、該保持位置にあるときと該退避位置にあるときとの双方で前記係止部に回動不能に係止する突起部とを備えたものであってもよい。
【００１３】
このように、保持部材が係合爪と突起部とを有し、回動自在に軸支され、厚みが薄い角型電池が格納されたときには、係合爪がその角型電池を係止した状態で突起部が蓋の係止部に係止して左右の回転を止め、厚みが厚い角型電池が格納されたときには、係合爪がその角型電池を係止しない状態で突起部が蓋の係止部に係止して左右の回転を止めた上で、その角型電池を蓋で押さえれば、１種類の蓋で２種類の角型電池に対応することが可能であり、かつ携行時に衝撃が加わった場合でも電池端子との接触不良が生じない。
【００１４】
また、上記蓋の内面に、上記電池格納部に収容された角型電池を押圧する弾性部材を備えたことも好ましい態様である。
【００１５】
このように、弾性部材を備えれば、電池格納部内に格納された角型電池をさらに強固に保持することができる。
【００１６】
【発明の実施の形態】
以下、本発明の電子機器の実施形態について説明する。
【００１７】
図１は、本発明の電子機器が適用されるデジタルカメラの実施形態を示す概略外観図である。
【００１８】
図１に示すように、デジタルカメラ１は、正面にレンズ２を備え、そのレンズ２に隣接する領域に電池格納部１０が設けられている。電池格納部１０は、角型電池３が格納される四角形のフレーム１１と、そのフレーム１１に囲われた電池収納室１２と、電池収納室１２の端に設けられ、角型電池３の電極と接触して導通する電池端子を有するコネクタ部材５と、フレーム１１に被さり、格納された角型電池３を防護する図示しない蓋２０とを有している。
【００１９】
図２は、電池格納部のフレームに被さる蓋を示す図である。
【００２０】
図２に示すように、蓋２０は、フレーム１１に被さり、上面に開口を有するインナーパネル２２と、インナーパネル２２に被さるアウターパネル２１とを有し、インナーパネル２２とアウターパネル２１とが重なり合う四角形の一辺２３には、電池収容室１２に向けて付勢力を有する板ばね部材２４が挟み込まれて固定され、板ばね部材２４は、固定された部分から電池収納室１２側になだらかなカーブを描いて折れ曲がることにより電池収納室１２に向けた付勢力を確保している。
【００２１】
図３は、フレームとコネクタ部材との関係を示す図である。
【００２２】
図３に示すように、フレーム１１は、３方に側壁１１ａが設けられ、電池収納室１２の中央部と１方の端には開口１５，１６が設けられている。１方の端に設けられた開口１６には、コネクタ部材５が嵌合され、コネクタ部材５は、電池収納室１２の隅に設けられた孔１２ａによりねじ１７で固定される。
【００２３】
コネクタ部材５には、電池収納室１２に収納される角型電池の電極と接触する電池端子６を備えている。
【００２４】
図４は、コネクタ部材を示す図であり、図４（ａ）は正面図、図４（ｂ）は、側面図、図４（ｃ）は、背面図を表している。
【００２５】
コネクタ部材５は、電池端子６が３つ備えられ、それぞれの電池端子は、ハーネス６ａに接続され、ハーネス６ａは、コネクタ６ｂに成端されている。このコネクタ６ｂを、デジタルカメラ本体の電源部の図示しない接続端子と嵌合することにより、角型電池の電力が電源部に供給される。コネクタ部材５の背面には、所定の間隔を開けて平行に突き出し、左右対称な位置にそれぞれ貫通孔を有する突出部材７が形成されている。
【００２６】
一方、側面に貫通孔を有する保持部材２６は、突出部材７の貫通孔と互いの貫通孔に共通の軸８を通すとともに、軸８の両端を突出部材７で固定することにより、コネクタ部材５に回動自在に固定されている。
【００２７】
図５は、コネクタ部材をＡ−Ａ面で切断した断面を示す図である。
【００２８】
図５に示すように、コネクタ部材５には、保持部材２６が軸支され、保持部材２６は、係合爪２６ａと突起部２６ｂとを有し、軸８を中心にして図示している保持位置と、それより反時計回りに回転した退避位置との間を移動する。係合爪２６ａは、厚みが薄い角型電池が格納されると保持位置に移動してその角型電池の側縁に係止するが、厚みが厚い角型電池が格納されると、退避位置に移動し、その角型電池の側面に突き当たる。
【００２９】
図６は、電池収納室に厚みが薄い角型電池が収容された状態を示す図である。
【００３０】
図６に示すように、電池収納室１２に厚みが薄い角型電池３が収容され、インナーパネル２２とアウターパネル２１とが重なり合って形成された蓋２０が被せられ、インナーパネル２２の開口から電池収納室１２内に張り出した板ばね部材２４が、電池収納室１２内になだらかなカーブを描いて折れ曲がり、厚みが薄い角型電池３全体を所定の付勢力で押圧している。また、厚みが薄い角型電池３の電極を有する側の側面の側縁３ａに係合爪２６ａが係止し、係合爪２６ａと一体に成形された突起部２６ｂは係合爪２６ａとは直角をなす位置にあるため、インナーパネル２２内面の端に設けられた係止部２５により、矢印Ｙ方向への回転が制限され、係合爪２６ａは、角型電池の側縁３ａにより矢印Ｘ方向への回転が制限されて固定され、角型電池３の上下移動が防止される。また、角型電池３全体が、板ばね部材２４により所定の圧力で押圧されるので、角型電池３の上下移動がより強固に防止される。
【００３１】
図７は、電池収納室に厚みが厚い角型電池が収容された状態を示す図である。
【００３２】
図７に示すように、電池収納室１２内に厚みが厚い角型電池３が収容され、インナーパネル２２とアウターパネル２１とが重なりあって形成された蓋２０が被せられ、インナーパネル２２の開口から電池収納室１２内に張り出した板ばね部材２４は、電池収納室１２内に収納された厚みが厚い角型電池３により押圧され、インナーパネル２２とアウターパネル２１との間の隙間に納まる。また、厚みが厚い角型電池３の側の側面３ｂに係合爪２６ａが突き当たり、保持部材２６は退避位置に移動するので、係合爪２６ａと一体に成形された突起部２６ｂは、厚みが薄い角型電池３が収納された場合よりも、矢印Ｙ方向に回転し、インナーパネル２２内面の端に設けられた係止部２５とインナーパネル２２内面の側壁２２ａとにより、矢印Ｘ方向および矢印Ｙ方向の何れの方向の回転も制限される。したがって、厚みが厚い角型電池３は、インナーパネル２２により固定され、上下移動が防止される。
【００３３】
このように、厚みが薄い角型電池は、剛体である保持部材２６と弾性部材である板ばね部材２４とにより固定され、また厚みが厚い角型電池は、その厚みに合わせて形成されたインナーパネル２２で固定されるので、電池格納部１０が衝撃を受けても電池端子がずれることによる接触不良や、上下移動によるがたつきが防止される。
【００３４】
【発明の効果】
以上、説明したように、本発明の電子機器によれば、厚さが異なる２種類の角型電池が電池格納部に収納されても、ユーザ操作に頼ることなしに１種類のカバーで対応することが可能であり、しかも携行時に衝撃が加わった場合でも電池端子との接触不良を生じることがない。
【図面の簡単な説明】
【図１】本発明の電子機器が適用されるデジタルカメラの実施形態を示す概略外観図である。
【図２】電池格納部のフレームに被さる蓋を示す図である。
【図３】フレームとコネクタ部材との関係を示す図である。
【図４】コネクタ部材を示す図である。
【図５】コネクタ部材をＡ−Ａ面で切断した断面を示す図である。
【図６】電池収納室に厚みが薄い角型電池が収容された状態を示す図である。
【図７】電池収納室に厚みが厚い角型電池が収容された状態を示す図である。
【符号の説明】
１　デジタルカメラ
２　レンズ
３　角型電池
３ａ　側縁
３ｂ　側面
５　コネクタ部材
６　電池端子
６ａ　ハーネス
６ｂ　コネクタ
７　突出部材
８　軸
１０　電池格納部
１１　フレーム
１１ａ　側壁
１２　電池収納室
１２ａ　孔
１５，１６　開口
１７　ねじ
２０　蓋
２１　インナーパネル
２２　アウターパネル
２３　一辺
２４　板ばね
２５　係止部
２６　保持部材
２６ａ　係合爪
２６ｂ　突起部
【図１】
2004079346.tif 000003
【図２】
2004079346.tif 000004
【図３】
2004079346.tif 000005
【図４】
2004079346.tif 000006
【図５】
2004079346.tif 000007
【図６】
2004079346.tif 000008
【図７】
2004079346.tif 000009